(57)【要約】【課題】  テレビジョン放送信号を受信し、映像を表示するテレビジョン受像機において、チャンネル番号の表示と共に放送国情報をＯＳＤ表示し、放送内容を把握せずとも放送国を判別できるようにする。【解決手段】  アンテナ２によってテレビジョン放送信号を受信し、該テレビジョン信号はチューナ３を通して、映像情報と放送情報とに分離する。放送情報をデータスライサに通し、放送国情報信号を検出し、デコーダ６を通し復号する。この放送国情報を前記テレビジョン放送信号の周波数と共に記憶装置８に記憶させ、後に前記周波数がユーザによって選局される際、記憶装置８から放送国情報を検出し、キャラクタジェネレータ９を通して文字信号になり、混合回路１１を通して前記映像信号と混合され、ＣＲＴ２０に放送国名が表示される。また、前記記憶装置８に記憶された情報は操作部１３によってユーザが任意に修正を行うことができる。【選択図】      図１
2006238359.tif 000002
【特許請求の範囲】
【請求項１】
各周波数の搬送波によって伝送され、映像信号若しくは音声信号と少なくとも放送国・地域情報を含む付加情報を受信するチューナと、映像若しくは文字情報を表示する表示部と、前記搬送波に含まれる付加情報から放送国情報若しくは地域情報を取得する情報取得手段とを備えた電子装置であって、前記情報取得手段によって得られる前記放送国情報若しくは地域情報を前記表示部に表示することを特徴とする放送国情報若しくは地域情報表示機能を備えた電子装置。
【請求項２】
各周波数の搬送波によって伝送され、映像信号若しくは音声信号とともに、少なくとも放送国・地域情報を含む付加情報を受信するチューナと、映像若しくは文字情報を表示する表示部と、前記搬送波に含まれる付加情報から放送国情報若しくは地域情報を取得する情報取得手段とを備えた電子装置であって、放送国若しくは地域とこれに対応付けられた書式データ若しくは画像表示データを格納したテーブルを有する記憶部と、該書式データ若しくは画像表示データと前記映像信号とを混合する信号混合手段を備え、前記チューナによって受信されている前記搬送波に多重された付加情報を前記表示部に表示する際には、前記情報取得手段によって得られる前記搬送波の放送国情報若しくは地域情報に対応する書式データを前記テーブルから取得し、該取得した書式データによって整形された前記搬送波データに関する情報を前記信号混合手段により前記搬送波の映像信号と混合させて前記表示部に表示する、若しくは、前記情報取得手段によって得られる前記搬送波の放送国情報若しくは地域情報に対応する画像表示データを前記テーブルから取得し、前記信号混合手段により前記搬送波の映像信号と混合させて前記表示部に表示することを特徴とする放送国情報若しくは地域情報表示機能を備えた電子装置。
【請求項３】
請求項１又は請求項２記載の電子装置であって、前記搬送波が、テレビジョン放送信号であり、前記表示部がテレビジョン受像機のモニターであり、前記情報取得手段は、該テレビジョン放送信号に含まれる付加情報から、放送国情報を取得することを特徴とする放送国情報表示機能を備えたテレビジョン受像機。
【請求項４】
各周波数の搬送波によって伝送され、映像信号若しくは音声信号とともに、少なくとも放送国・地域情報を含む付加情報を受信するチューナと、映像若しくは文字情報を表示する表示部と、前記搬送波に含まれる付加情報から放送国情報若しくは地域情報を取得する情報取得手段と、放送国若しくは地域とこれに対応付けられた書式データ若しくは画像表示データとを格納したテーブルを有する記憶部と、該書式データ若しくは画像表示データと映像信号とを混合する信号混合手段を備えた電子装置における搬送波情報表示方法であって、前記チューナによって受信されている前記搬送波に関する情報を前記表示部に表示する際には、前記情報取得手段によって得られる前記搬送波の放送国情報若しくは地域情報に対応する書式データを前記テーブルから取得し、該取得した書式データによって整形された前記搬送波に関する情報を信号混合手段により映像信号若しくは文字情報信号と混合し、前記表示部に表示し、若しくは、前記情報取得手段によって得られる前記チューナにより受信されている前記搬送波の放送国情報若しくは地域情報に対応する画像表示データを前記テーブルから取得し、該取得した画像表示データによって整形された画像を信号混合手段により映像信号若しくは文字情報信号と混合し、これを前記表示部に表示することを特徴とする搬送波情報表示方法。
【発明の詳細な説明】
【技術分野】
【０００１】
本発明は、放送国・放送地域情報が含まれる放送情報が多重されている映像信号や音声信号を受信し、映像を表示若しくは音声を再生する電子装置、特に放送国・地域情報の判別及び検出を行い、放送国・地域情報を映像表示部もしくは文字情報表示部に表示をする機能を有する放送国情報若しくは地域情報表示機能を備えた電子装置及び放送国情報表示機能を備えたテレビジョン受像機及び搬送波情報表示方法に関する。
【背景技術】
【０００２】
従来、放送国情報や放送局情報などが含まれる放送情報やテレテキストが多重された映像信号や音声信号を受信し、映像若しくは文字情報を表示する電子装置は、前記放送情報から放送局情報や放送国・地域情報を検出し、該情報を用いて様々な動作を行っている。
【０００３】
特許文献１では、文字情報を多重したテレビジョン放送信号を再生するためのテレビジョン放送信号処理手段と、前記文字情報をテレビジョン放送信号から抜き取り、文字情報から文字信号を生成し、更に前記文字情報に含まれる放送局側の識別情報を検出し、前記文字情報に含まれる放送局側の局名情報を検出し、前記識別情報及び局名情報から放送局を判別し、前記文字信号と共に前記テレビジョン放送信号と混合させてテレビジョン受像機に放送局名を表示させる方法が開示されている。
【０００４】
特許文献２では、テレテキストを多重したテレビジョン放送信号を受信するテレビジョン受像機において、前記テレテキストから局名情報を検出し、該局名情報に基づいて放送局を判別し、更に前記局名情報に基づいて選局された放送局が属する地域が第一地域か第二地域かを判別して表示するテレテキストをそれぞれの地域に対応する言語に切り替えて表示させる方法が開示されている。例えば第一地域を西欧、第二地域を東欧とすると、西欧及び東欧の何れかの国境付近において前記テレビジョン受像機を設置した場合、東西双方のテレビジョン信号を受信でき、ユーザが放送局を変更するたびに文字情報の表示言語の設定を切り替える必要は無く、自動的に表示言語を切り替えることができる方法が開示されている。これにより、チャンネルが変わることによりテレテキストが文字化けし、ユーザがその度に表示設定を変更するという動作を自動化することができる。
【０００５】
【特許文献１】特開平９−１８７９５号公報
【特許文献２】特開２００１−１６０９５６号公報
【発明の開示】
【発明が解決しようとする課題】
【０００６】
しかしながら、特許文献１の構成の場合、例えば西欧の国の国境付近のような、自国だけではなく、近隣国のテレビジョン信号も受信できる環境において、該近隣国のテレビジョン信号を発信している放送局名が表示されても、ユーザはなじみの無い他国の前記放送局名を見ることになり、前記テレビジョン信号がどの国の放送局から発信されているかを瞬時に判別することは難しい。
【０００７】
また、特許文献２の構成の場合、チャンネルの切り替えの際、ユーザは表示された映像や音声、字幕や文字放送から放送国を判断するしかなく、選局した前記テレビジョン信号の放送国が自国か近隣国かを判断することに手間がかかってしまう。
【０００８】
本発明は上記課題を鑑みてなされたものであり、複数国の放送局から発信される放送信号を受信する電子装置において、チャンネル切り替え時に、映像表示部若しくは文字情報表示部にて放送国情報をユーザに通知可能させる機能を有する放送国情報若しくは地域情報表示機能を備えた電子装置及び放送国情報表示機能を備えたテレビジョン受像機及び搬送波情報表示方法を提供することを目的とする。
【課題を解決するための手段】
【０００９】
請求項１に係る放送国情報若しくは地域情報表示機能を備えた電子装置は、各周波数の搬送波によって伝送される映像信号若しくは音声信号を受信するチューナと、映像若しくは文字情報を表示する表示部と、前記搬送波から放送国情報若しくは地域情報を取得する情報取得手段とを備えた電子装置であって、前記情報取得手段によって得られる前記チューナにより受信されている前記搬送波の放送国情報若しくは地域情報を前記表示部に表示することを特徴とする。
【００１０】
請求項１の構成によれば、各周波数の搬送波によって伝送される映像信号若しくは音声信号をチューナによって受信し、情報取得手段により、搬送波に多重される付加情報から放送国・地域情報を検出し、これを映像若しくは文字情報として表示部に表示をする。
【００１１】
請求項２に係る放送国情報若しくは地域情報表示機能を備えた電子装置は、請求項１記載の放送国情報若しくは地域情報表示機能を備えた電子装置において、各周波数の搬送波によって伝送される映像信号若しくは音声信号を受信するチューナと、映像若しくは文字情報を表示する表示部と、前記搬送波から放送国情報若しくは地域情報を取得する情報取得手段とを備えた電子装置であって、放送国若しくは地域とこれに対応付けられた書式データ若しくは画像表示データを格納したテーブルを有する記憶部を備え、且つ、該書式データ若しくは画像表示データを前記映像信号と混合する信号混合手段を備えることにより、前記チューナによって受信されている前記搬送波に関する情報を前記表示部に表示する際には、前記情報取得手段によって得られる前記チューナにより受信されている前記搬送波の放送国情報若しくは地域情報に対応する書式データを前記テーブルから取得し、該取得した書式データによって整形された前記搬送波に関する情報を、信号混合手段を通し前記搬送波の映像信号と混合し、前記表示部に表示する、若しくは、前記情報取得手段によって得られる前記チューナにより受信されている前記搬送波の放送国情報若しくは地域情報に対応する画像表示データを前記テーブルから取得し、信号混合手段を通し前記搬送波の映像信号と混合し、これを前記表示部に表示することを特徴とする。
【００１２】
請求項２の構成によれば、各周波数の搬送波によって伝送される映像信号若しくは音声信号をチューナによって受信し、その搬送波に多重される付加情報から放送国・地域情報を情報取得手段により検出する。検出された放送国・地域情報は、放送国・地域情報に対応する書式データを記憶部のテーブルから取得し、書式データによって整形された搬送波に関する情報、例えば、チャンネル番号、放送局名、放送国名を信号混合手段によって前記搬送波の映像信号と混合させることによって放送国に対応した搬送波に関する情報若しくは放送国情報若しくは地域情報に対応する画像を表示部に表示することができる。
【００１３】
請求項３に係る放送国情報若しくは地域情報表示機能を備えたテレビジョン受像機は、請求項１又は請求項２記載の電子装置であって、前記搬送波が、テレビジョン放送信号であり、前記表示部がテレビジョン受像機のモニターであり、前記情報取得手段は、該テレビジョン放送信号に含まれる付加情報から、放送国情報を取得することを特徴とする。
【００１４】
請求項３の構成によれば、テレビジョン放送信号に多重される放送国・地域情報をテレビジョン受像機に備えた前記情報取得手段により取得してテレビジョン放送信号に含まれる放送情報から放送国情報を取得し、これを表示部に表示することができる。
【００１５】
請求項４に係る搬送波情報表示方法は、各周波数の搬送波によって伝送され、映像信号若しくは音声信号とともに、少なくとも放送国・地域情報を含む付加情報を受信するチューナと、映像若しくは文字情報を表示する表示部と、前記搬送波に含まれる付加情報から放送国情報若しくは地域情報を取得する情報取得手段と、放送国若しくは地域とこれに対応付けられた書式データ若しくは画像表示データとを格納したテーブルを有する記憶部と、該書式データ若しくは画像表示データと映像信号とを混合する信号混合手段を備えた電子装置における搬送波情報表示方法であって、前記チューナによって受信されている前記搬送波に関する情報を前記表示部に表示する際には、前記情報取得手段によって得られる前記搬送波の放送国情報若しくは地域情報に対応する書式データを前記テーブルから取得し、該取得した書式データによって整形された前記搬送波に関する情報を信号混合手段により映像信号若しくは文字情報信号と混合し、前記表示部に表示し、若しくは、前記情報取得手段によって得られる前記チューナにより受信されている前記搬送波の放送国情報若しくは地域情報に対応する画像表示データを前記テーブルから取得し、該取得した画像表示データによって整形された画像を信号混合手段により映像信号若しくは文字情報信号と混合し、これを前記表示部に表示することを特徴とする。
【００１６】
請求項４の構成によれば、各周波数の搬送波によって伝送される映像信号若しくは音声信号をチューナによって受信し、情報取得手段により搬送波に多重される放送国・地域情報を検出する。検出された放送国・地域情報は、放送国・地域情報に対応する書式データを記憶部のテーブルから取得し、前記搬送波に関する情報、例えば、チャンネル番号、放送局名、放送国名を書式データによって整形し、信号混合手段によって前記搬送波の映像信号と混合させてチャンネル番号、放送局名、放送国名を表示する。若しくは検出された放送国・地域情報に対応する画像表示データを記憶部のテーブルから取得して前記搬送波に関する情報を例えば国旗などの画像として表示部に表示する。
【発明の効果】
【００１７】
請求項１に係る放送国情報若しくは地域情報表示機能を備えた電子装置によれば、各周波数の搬送波によって伝送され、映像信号若しくは音声信号と少なくとも放送国・地域情報を含む付加情報を受信するチューナと、映像若しくは文字情報を表示する表示部と、前記搬送波に含まれる付加情報から放送国情報若しくは地域情報を取得する情報取得手段とを備えた電子装置であって、前記情報取得手段によって得られる前記放送国情報若しくは地域情報を前記表示部に表示することにより、ユーザは容易に受信した周波数の搬送波を発信している放送国・地域を特定することができる。
【００１８】
請求項２に係る放送国情報若しくは地域情報表示機能を備えた電子装置によれば、各周波数の搬送波によって伝送され、映像信号若しくは音声信号とともに、少なくとも放送国・地域情報を含む付加情報を受信するチューナと、映像若しくは文字情報を表示する表示部と、前記搬送波に含まれる付加情報から放送国情報若しくは地域情報を取得する情報取得手段とを備えた電子装置であって、放送国若しくは地域とこれに対応付けられた書式データ若しくは画像表示データを格納したテーブルを有する記憶部と、該書式データ若しくは画像表示データと前記映像信号とを混合する信号混合手段を備え、前記チューナによって受信されている前記搬送波に多重された付加情報を前記表示部に表示する際には、前記情報取得手段によって得られる前記搬送波の放送国情報若しくは地域情報に対応する書式データを前記テーブルから取得し、該取得した書式データによって整形された前記搬送波データに関する情報を前記信号混合手段により前記搬送波の映像信号と混合させて前記表示部に表示する、若しくは、前記情報取得手段によって得られる前記搬送波の放送国情報若しくは地域情報に対応する画像表示データを前記テーブルから取得し、前記信号混合手段により前記搬送波の映像信号と混合させて前記表示部に表示することによって、書式データ又は画像表示データによって整形された搬送波データに関する情報が表示され、ユーザは受信した周波数の搬送波を発信している放送国・地域をより容易に特定することができる。
【００１９】
請求項３に係る電子装置によれば、請求項１又は請求項２記載の電子装置であって、前記搬送波が、テレビジョン放送信号であり、前記表示部がテレビジョン受像機のモニターであり、前記情報取得手段は、該テレビジョン放送信号に含まれる付加情報から、放送国情報を取得することにより、ユーザは自身が選局したテレビジョン放送信号を発信している放送国を容易に特定することができる。
【００２０】
請求項４に係る搬送波情報表示方法によれば、各周波数の搬送波によって伝送され、映像信号若しくは音声信号とともに、少なくとも放送国・地域情報を含む付加情報を受信するチューナと、映像若しくは文字情報を表示する表示部と、前記搬送波に含まれる付加情報から放送国情報若しくは地域情報を取得する情報取得手段と、放送国若しくは地域とこれに対応付けられた書式データ若しくは画像表示データとを格納したテーブルを有する記憶部と、該書式データ若しくは画像表示データと映像信号とを混合する信号混合手段を備えた電子装置における搬送波情報表示方法であって、前記チューナによって受信されている前記搬送波に関する情報を前記表示部に表示する際には、前記情報取得手段によって得られる前記搬送波の放送国情報若しくは地域情報に対応する書式データを前記テーブルから取得し、該取得した書式データによって整形された前記搬送波に関する情報を信号混合手段により映像信号若しくは文字情報信号と混合し、前記表示部に表示し、若しくは、前記情報取得手段によって得られる前記チューナにより受信されている前記搬送波の放送国情報若しくは地域情報に対応する画像表示データを前記テーブルから取得し、該取得した画像表示データによって整形された画像を信号混合手段により映像信号若しくは文字情報信号と混合し、これを前記表示部に表示するものであるから、ある周波数の搬送波によって伝送される映像信号もしく音声信号をチューナによって受信し、映像を表示又は音声を再生する電子装置の映像若しくは文字情報表示部に、放送国・地域情報を表示することができる。
【発明を実施するための最良の形態】
【００２１】
以下、本発明を実施するための最良の形態としての実施例を図１から図５を参照して説明する。もちろん、本発明は、その発明の趣旨に反さない範囲で、実施例において説明した以外のものに対しても容易に適用可能なことは説明を要するまでもない。
【実施例】
【００２２】
図１〜図５は、本発明の一実施例を示し、図１は、本発明におけるテレビジョン受像機を示すブロック図であり、図２は記憶装置に記憶される情報を管理するテーブルを示す表であり、図３はチャンネルプリセット時における放送国名を判別するための文字情報を検出する動作を示すフローチャートであり、図４はＯＳＤ（Ｏｎ  Ｓｃｒｅｅｎ  Ｄｉｓｐｌａｙ：画面上に映像とは別に表示される文字や画像）の表示設定を変更する過程を示すＣＲＴの正面図であり、図５はチャンネルを切り替えた際、記憶装置から表示設定を呼び出し、ＯＳＤ表示を行う動作を示すフローチャートである。
【００２３】
図１において、１はテレビジョン受像機を示し、該テレビジョン受像機１は、放送情報及び文字情報が多重されたテレビジョン放送信号を受信するためのアンテナ装置２と接続されている。アンテナ装置２を通して受信したテレビジョン放送信号は、テレビジョン受像機１の内部もしくは外部に設けられたチューナ装置３によってＩＦ（Ｉｎｔｅｒｍｅｄｉａｔｅ  Ｆｒｅｑｕｅｎｃｙ：中間周波数）信号に変換され増幅器４で増幅される。このＩＦ信号から前記放送情報を含んだ信号を抜き出し、情報取得手段であるデータスライサ５により、ＶＰＳ（Ｖｉｄｅｏ  Ｐｒｏｇｒａｍ  Ｓｙｓｔｅｍ），ＦＯＲＭＡＴ１、ＦＯＲＭＡＴ２等に代表される放送情報を検出する。ＶＰＳ、ＦＯＲＭＡＴ１及びＦＯＲＭＡＴ２は、ＰＡＬ（Ｐｈａｓｅ  Ａｌｔｅｒｎａｔｉｏｎ  ｂｙ  Ｌｉｎｅ）と呼ばれる放送方式の所定のデータ領域に含まれるパケット情報の種類で、例えば以下の表１に示すように放送局名、放送中の番組、時刻等に関する情報をそれぞれ含み、所定の時間間隔で送信されているものである。尚、これらの放送信号に多重される情報は表１に示す以外にもテキスト情報、ステータス情報などが含まれる。
【００２４】
【表１】
2006238359.tif 000003
【００２５】
データスライサ５で検出された放送情報をデコーダ６にかけ、放送情報を文字信号に復号する。記憶部である前記テレビジョン受像機１内部又は外部に備えた記憶装置８が有する図テーブルＴから、前記復号された放送情報に対応する書式データを検出し、該書式データにより前記放送情報が整形される。この整形された放送情報はキャラクタジェネレータ９により文字信号として生成され、該文字信号は信号混合手段である混合回路１１により映像信号と混合され、前記テレビジョン受像機１のモニターであるＣＲＴ（Ｃａｔｈｏｄｅ  Ｒａｙ  Ｔｕｂｅ：陰極線管）２０にて映像と共にチャンネル番号、放送局名、放送国名を表示する。前記テーブルは、図２に示すように登録された行データを一意に特定するための情報である放送局Ｎｏ、それに対応する周波数、該周波数にて搬送されるテレビジョン放送信号に多重されるＶＰＳ、ＦＯＲＭＡＴ１及びＦＯＲＭＡＴ２と呼ばれる放送情報、ＯＳＤ表示される放送局名、実際の放送局名、放送国名、ＯＳＤ表示位置、表示フォントそして表示色をそれぞれ列として備えており、操作部１３により、ユーザはこのテーブルＴの情報に対して変更を加えることができる。
【００２６】
以上のように構成される本実施例において、テレビジョン放送信号に多重された放送情報に含まれる放送国情報及び放送局情報のチャンネルプリセット時の検出、記憶装置による前記検出情報の記憶、記憶装置の書式データの修正、記憶された書式データによる放送国情報のＯＳＤ表示の動作を説明する。前記テレビジョン受像機１にて、チャンネルプリセットを自動的に行う際の動作を、図３のフローチャートに示す。まずテレビジョン放送信号の周波数に対して昇順検索か降順検索を選択する（ステップＳ１）。その後、選択された方向で周波数を検索する（ステップＳ２）。ある周波数において映像や音声を含むテレビジョン放送信号が存在した場合（ステップＳ３）、自動的に周波数を同調させ、チャンネルの設定を行う（ステップＳ４）。この後、同調した周波数で搬送されるテレビジョン放送信号に多重されている放送情報を文字信号として復号し、ＶＰＳやＦＯＲＭＡＴ１、ＦＯＲＭＡＴ２に該当する放送情報をデータスライサ５によって検出し（ステップＳ５）、前記放送情報が含まれているかどうかを判別する（ステップ６）。前記放送情報が含まれている場合、図２のテーブルの行として、記憶装置８に記憶させ（ステップＳ７）、含まれていない場合は周波数検索に戻る。
【００２７】
前記テーブルＴに記憶される情報は次のとおりである。放送Ｎｏ．は、前記テーブルＴに対して一意になるようにテレビジョン放送信号のチユーニング時に自動的にナンバリングされて記憶され、周波数は同調した周波数が記憶される。ＶＰＳ及びＦＯＲＭＡＴ１、ＦＯＲＭＡＴ２には復号した放送情報中に含まれている同名のデータが記憶され、放送局名のＯＳＤ及び放送国名は前記ＶＰＳ及びＦＯＲＭＡＴ１、ＦＯＲＭＡＴ２などに含まれている放送国情報や放送局情報によって、図示しない別の記憶装置に記憶される放送国名及び放送局名の一覧から抽出されるデータが記憶される。表示フォント、色、位置については予め決められている初期設定値が、それぞれ自動的に記憶装置８に記憶される。以上の動作を繰り返し行い、予め決められた周波数範囲の検索が終了したら、チャンネルプリセットを終了する。
【００２８】
次に、チャンネルプリセットが終了した後に記憶装置に記憶された情報に対し、ユーザが訂正や変更を行う際の動作を説明する。図４（ａ）に、ユーザが設定の変更を行う際に使用される設定画面の表示例を示す。２０は映像表示を行う前記テレビジョン受像機１のＣＲＴである。まずＣＲＴ２０にチャンネルのプリセット情報を表示し、どのチャンネルの情報に対して訂正を行うかを選択する。選択中のチャンネル番号はハイライト（強調）され、背景は該選択中のチャンネルに設定された映像信号を復号した映像が表示され、映像信号を検出できない場合は、単一色とする。続いて、選択したチャンネルに対して、表示フォントや表示色などの設定の変更を行う。図４（ｂ）は設定の変更を行う際の設定画面の表示例である。選択したチャンネルに対して設定された周波数を用いて図２のテーブルを検索し、該周波数に設定されている情報を抽出し、現在の設定情報の表示を行う。この段階で、電源投入時又はチャンネル変更時に表示させるＯＳＤ表示に対する表示位置、表示色、表示フォント、また、放送局名や放送国名などの訂正を任意に行う。訂正を終えたら、訂正内容を前記記憶装置８に記憶させ、図４（ａ）のチャンネルマップ画面へ戻る。
【００２９】
次に、記憶装置８に記憶された情報を、電源投入時又はチャンネル変更時に検出し、ＣＲＴ２０にて、ＯＳＤ表示を行う際の動作を説明する。図５は電源投入時またはチャンネル切り替え時からＯＳＤ表示までの動作を示すフローチャートである。チャンネルを切り替えた際（電源投入時には前回電源を切った時点で選局されていたチャンネル）に（ステップ１２）、選局されたチャンネルの周波数により、図２の構成をもつ記憶装置８に記憶されたテーブルＴの情報を抽出し該当する周波数により書式データが存在するか否かの判定を行い（ステップ１３）、存在した場合、該書式データに基づき、チャンネル番号、放送局名、放送国名のＯＳＤ表示を行う（ステップ１４）。該当する周波数の書式データが記憶装置８に記憶されていない場合は、ＶＰＳやＦＯＲＭＡＴ１、２などの放送情報をデータスライサ５によって検出し（ステップ１５）、該放送情報が含まれるかどうかを判別する（ステップ１６）。該放送情報が含まれている場合、前記放送情報に含まれる放送国・地域情報や放送局情報で、記憶装置８の書式データを抽出し（ステップ１７）、該当データが存在する場合、該書式データに基づいてチャンネル番号、放送局名、放送国名を表示する（ステップ１４）。該当データが存在しない場合は、別の記憶装置に記憶されている国名及び放送局名から該当する放送国名・放送局名を検出し、表示する（ステップ１８）。前記ＶＰＳやＦＯＲＭＡＴ１、２がテレビジョン放送信号に含まれていない場合は、何もせずチャンネル番号のみを表示する。（ステップ１９）。
【００３０】
以上のように、本実施例によれば、チャンネルプリセットによって設定されるテレビジョン放送信号の放送局ごとの周波数をチャンネルマッピングすると同時に、放送国や放送局などの放送情報を、テレビジョン放送信号から検出し、前記テーブルＴを備える記憶装置８に記憶させることにより、ユーザが意識せずとも、チャンネルごとに設定された周波数ごとに放送国名および放送局名の表示設定を行うことができ、ユーザが選局したチャンネルの周波数により、前記テーブルＴに記憶された放送情報を検出し、ＯＳＤ表示を行うことができる。更に前記記憶装置８に記憶したテーブルＴを訂正可能としたことにより、従来の放送局のコードのようなＯＳＤ表示から、ユーザになじみのある放送局名や放送国名を表示することができ、該放送局名若しくは放送国名の文字装飾やフォントタイプなどの外観を特徴付けることにより、ＯＳＤ表示による放送国及び放送局の判別が容易となる。これにより、例えば欧州の国境付近のような、自国と共に他国のテレビジョン放送信号を受信できるような地域において、テレビジョン放送を表示する際に、放送国及び放送局名を表示することで、テレビジョン放送の映像や音声など、内容を確認せずとも、チャンネル切り替え時のＯＳＤ表示を見るだけで、自国の放送局か他国の放送局かを瞬時に判断することが可能となる。また、放送国名又はテレビジョン放送信号に多重された放送情報に含まれる放送国情報をＯＳＤ表示するとしたが、特にこれに限定するものではなく、予めテレビジョン受像機内部に各国の国旗といった国を特定できるシンボルマークなどの画像表示データを記憶させておき、放送国情報によって該当する国の国旗を表示させても良い。また、前記記憶装置に記憶される図２のテーブルＴに示される情報の修正手順として、チャンネルプリセット後にユーザが任意でチャンネルを選択し修正する手順を例として示したが、特にこの手順に限定せず、チャンネルプリセット前や放送情報が存在しないチャンネルまたは周波数でも、任意で各種情報を追加・変更することができても何ら問題は無い。また、実施例としてテレビジョン放送信号及び該信号を受信するテレビジョン受像機を用いたが、特にこれに限定せず、電子装置としてＦＭ／ＡＭ電波及び該電波の受信機に適用できることは言うまでもない。
【図面の簡単な説明】
【００３１】
【図１】本発明の実施例を示す、テレビジョン受像機の構成を示すブロック図である。
【図２】同上、記憶装置に記憶される情報を格納するテーブルを示す表である。
【図３】同上、チャンネルプリセット時のテレビジョン信号から文字情報を検出し、記憶装置への記憶の動作を示すフローチャートである。
【図４】同上、文字情報の装飾や、放送国名を設定例を表示するＣＲＴを示す正面図である。
【図５】同上、チャンネル切り替え時に、記憶装置から設定情報を読み出し、ＯＳＤ表示を行う動作を示すフローチャートである。
【符号の説明】
【００３２】
１  テレビジョン受像機
３  チューナ
５  データスライサ（情報取得手段）
８  記憶装置
１１  混合回路（信号混合手段）
２０  ＣＲＴ（テレビジョン受像機の表示部）
【図１】
2006238359.tif 000004
【図２】
2006238359.tif 000005
【図３】
2006238359.tif 000006
【図４】
2006238359.tif 000007
【図５】
2006238359.tif 000008